(57)【要約】【課題】ソックス状物の甲側部にはケイ素含有粉末を固着し、足裏側部にはケイ素含有粉末を固着しないことによって、「足冷えの抑制」と「靴の履き易さ」の両立などを実現する。【解決手段】使用者の足を覆うソックス状物である。ソックス状物１において足の甲側を覆う甲側部１ａには、ケイ素含有粉末２が固着され、且つ、ソックス状物１において足の足裏側を覆う足裏側部１ｂには、ケイ素含有粉末２が固着されていない。ケイ素含有粉末２は、ソックス状物１における甲側部１ａの内面側に、この内面側に付着したシート状物３で覆われることで、固着されていたり、溶岩粉末であっても良い。【選択図】図１
2019039087.tif 000002
【特許請求の範囲】
【請求項１】
使用者の足を覆うソックス状物であって、
当該ソックス状物において足の甲側を覆う甲側部（１ａ）には、ケイ素含有粉末（２）が固着され、且つ、当該ソックス状物において足の足裏側を覆う足裏側部（１ｂ）には、前記ケイ素含有粉末（２）が固着されていないことを特徴とするソックス状物。
【請求項２】
前記ケイ素含有粉末（２）は、当該ソックス状物の甲側部（１ａ）における内面側に、この内面側に付着したシート状物（３）で覆われることで、固着されていることを特徴とする請求項１に記載のソックス状物。
【請求項３】
前記ケイ素含有粉末（２）は、溶岩粉末であることを特徴とする請求項１又は２に記載のソックス状物。
【発明の詳細な説明】
【技術分野】
【０００１】
本発明は、使用者の足を覆うソックス状物に関するものである。
【背景技術】
【０００２】
従来、二重くつ下が知られている（特許文献１参照）。
この二重くつ下は、口ゴム部で連らなる筒形編地から内筒体と外筒体とを形成し、重なり合う前記両筒体をつま先部で縫合一体化している。
【先行技術文献】
【特許文献】
【０００３】
【特許文献１】特開２００１−５５６０５号公報
【発明の概要】
【発明が解決しようとする課題】
【０００４】
しかしながら、特許文献１に記載された二重くつ下は、当該特許文献１の図１、２、６、７等に開示されたように、足底側には内面パイルが設けられているものの、足の甲側には、このような内面パイルが設けられていないため、毛細血管が多い足の甲側の血流が悪くなって足冷えの虞がある。
そもそも、特許文献１の二重くつ下は、内筒体と外筒体を有した全面二重地であるため、筒形編地が分厚くなり、当該二重くつ下を着用した状態では靴を履き辛くなる。
【０００５】
本発明は、このような点に鑑み、ソックス状物の甲側部にはケイ素含有粉末を固着し、足裏側部にはケイ素含有粉末を固着しないことで、「足冷えの抑制」と「靴の履き易さ」の両立などを実現できるソックス状物を提供することを目的とする。
【課題を解決するための手段】
【０００６】
本発明に係るソックス状物１は、使用者の足を覆うソックス状物であって、当該ソックス状物において足の甲側を覆う甲側部１ａには、ケイ素含有粉末２が固着され、且つ、当該ソックス状物において足の足裏側を覆う足裏側部１ｂには、前記ケイ素含有粉末２が固着されていないことを第１の特徴とする。
【０００７】
本発明に係るソックス状物１の第２の特徴は、上記第１の特徴に加えて、前記ケイ素含有粉末２は、当該ソックス状物の甲側部１ａにおける内面側に、この内面側に付着したシート状物３で覆われることで、固着されている点にある。
【０００８】
本発明に係るソックス状物１の第３の特徴は、上記第１又は２の特徴に加えて、前記ケイ素含有粉末２は、溶岩粉末である点にある。
【０００９】
これらの特徴により、ソックス状物１の甲側部１ａにケイ素含有粉末２を固着することによって、特許文献１とは異なり、後述の表１〜３、図４に示したように、ソックス状物１の甲側部１ａにおける内面側の温度が上がり易い（昇温性が高い）ため、毛細血管が多い足の甲側の血流を促進し、使用者の足を冷え難くする（「足冷えの抑制」）。
これと同時に、ソックス状物１の足裏側部１ｂにケイ素含有粉末２を固着しないことによって、ケイ素含有粉末２を固着しない分だけ、甲側部１ａより足裏側部１ｂの方がソックス状物１の生地が薄くなり、当該ソックス状物１を着用した状態でも、靴を履き難さが低減される（「靴の履き易さ」）。
つまり、「足冷えの抑制」と「靴の履き易さ」の両立が可能となる。
尚、ソックス状物１は、足を冷やさないように熱を蓄えることから、「蓄熱ソックス状物」であると言える。
【００１０】
又、ケイ素含有粉末２を、甲側部１ａにおける内面側に、この内面側をシート状物３で覆うことで固着させることによって、当該ソックス状物１を洗濯しても、ケイ素含有粉末２が落ち難くなる（「洗濯耐久性の向上」）。
【００１１】
更に、ケイ素含有粉末２を、溶岩粉末とすることによって、溶岩粉末が多孔質（ポーラス）であるため、ソックス状物１に消臭性も付与できる。
【発明の効果】
【００１２】
本発明に係るソックス状物によると、ソックス状物の甲側部にはケイ素含有粉末を固着し、足裏側部にはケイ素含有粉末を固着しないことによって、「足冷えの抑制」と「靴の履き易さ」の両立などを実現できる。
【図面の簡単な説明】
【００１３】
【図１】本発明に係るソックス状物を示し、（ａ）はソックス状物の外面側を示す図面代用側面写真であり、（ｂ）はソックス状物を裏返した内面側を示す図面代用側面写真である。
【図２】ソックス状物のシート状物を示す図面代用拡大写真である。
【図３】ケイ素含有粉末を示す図面代用拡大写真であって、（ａ）はシート状物で固着されたケイ素含有粉末を示し、（ｂ）はケイ素含有粉末を更に拡大した状態を示す。
【図４】ソックス状物の昇温性を示すグラフである。
【発明を実施するための形態】
【００１４】
以下、本発明の実施形態を、図面を参照して説明する。
＜ソックス状物１の全体構成＞
図１〜３には、本発明に係るソックス状物（靴下状物）１が示されており、このソックス状物１は、使用者の足を覆うものである。
【００１５】
ソックス状物１は、使用者の足における甲側を覆う甲側部１ａと、使用者の足における足裏側を覆う足裏側部１ｂを有している。
ソックス状物１は、その甲側部１ａにはケイ素含有粉末２が固着され、且つ、その足裏側部１ｂにはケイ素含有粉末２が固着されていない。
【００１６】
ソックス状物１は、その甲側部１ａの内面にシート状物３を有していても良い。
尚、ソックス状物１は、当然、履き口を有しているが、その他の部分、例えば、使用者の足における指を覆う部分（爪先部分や、各指ごとに覆う部分など）や、使用者の踝（くるぶし）から上を覆う部分、ホックなどを有していても良い。
又、ソックス状物１全体としての重さ（後述するケイ素含有粉末２やシート状物３を含んだ重さ）は、特に限定はないが、例えば、１０ｇ以上１００ｇ以下、好ましくは２０ｇ以上７０ｇ以下（紳士用４２ｇや、婦人用３７ｇなど）であっても良い。
【００１７】
＜ケイ素含有粉末２＞
図３に示したように、ケイ素含有粉末２は、ケイ素（Ｓｉ）を含有した粉末であって、このケイ素含有粉末２が、上述したソックス状物１において足の甲側を覆う甲側部１ａに固着し、且つ、ソックス状物１において足の足裏側を覆う足裏側部１ｂには固着していない。
ケイ素含有粉末２は、ケイ素を含有していれば、その含有の仕方に特に限定はないが、例えば、ケイ素は、二酸化ケイ素（ＳｉＯ2 、石英）として含有されていたり、セラミック（ケイ素を含有した陶磁器など）、ケイ素化合物（長石、炭素ケイ素結合（Ｃ−Ｓｉ結合）を有した有機ケイ素化合物、シロキサン結合（Ｓｉ−Ｏ結合）を有したシリコーンなど）として含有していても良い。
【００１８】
ケイ素含有粉末２は、ケイ素を含有していれば、その他に何れの成分を含有していても良く、例えば、鉄（Ｆｅ）、アルミニウム（Ａｌ）、カルシウム（Ｃａ）、カリウム（Ｋ）などの元素を含有していても良い。
ケイ素含有粉末２は、溶岩粉末（火山岩や深成岩などの火成岩の粉末）、堆積岩、変成岩の粉末などであっても良い。
ケイ素含有粉末２は、ソックス状物１の甲側部１ａのみに固着するのであれば、その固着方法は、特に限定はないが、後述するシート状物３に覆われたり、ソックス状物１の甲側部１ａを構成する糸（繊維）に付着・練込されることで、固着していても良い。
【００１９】
ケイ素含有粉末２の大きさは、特に限定はないが、例えば、粉砕等により、５μｍ以上１００μｍ以下（３０μｍなど）であっても良い。
ケイ素含有粉末２の固着量（付着量）も、特に限定はないが、例えば、ソックス状物１全体としての重さ（後述するケイ素含有粉末２やシート状物３を含んだ重さ）に対して、０．１％ｏｗｆ（On Weight of Fabric ）以上５．０％ｏｗｆ以下（１．７％ｏｗｆや１．９％ｏｗｆなど）であっても良い。具体的なケイ素含有粉末２の重さとしては、１つのソックス状物１に対して、０．１ｇ以上３．０ｇ以下（０．７ｇなど）であっても良い。
【００２０】
＜シート状物３＞
図１〜３に示したように、シート状物３は、上述したソックス状物１の甲側部１ａにおける内面側に付着されるものであって、このシート状物３で、上述したケイ素含有粉末２が覆われる。
シート状物３は、甲側部１ａの内面側に付着して、ケイ素含有粉末２を覆うのであれば、何れのものを用いても良いが、例えば、トリコット編地や丸編地（緯編地）等の編地（編物）や、平織等の織地（織物）、不織布などの布帛であったり、ポリウレタン（ＰＵ）樹脂等の熱可塑性樹脂製フィルム（ＰＵフィルム等）や、和紙等の紙などを用いても構わない。
【００２１】
シート状物３の構成としては、例えば、トリコット編地とＰＵフィルムを用いる場合には、ソックス状物１の甲側部１ａにおける内面側に当てたＰＵフィルム上にケイ素含有粉末２を散布した後に、これらＰＵフィルム及びケイ素含有粉末２にトリコット編地を被せて熱融着させることによって、甲側部１ａの内面側に付着したシート状物３でケイ素含有粉末２を覆うことで、当該ケイ素含有粉末２を甲側部１ａの内面側に固着させても良い。
尚、この場合、シート状物３は、トリコット編地とＰＵフィルムで構成される。
【００２２】
又、トリコット編地の代わりに丸編地を用いたり、ＰＵフィルムの代わりにエチレン酢酸ビニル（ＥＶＡ）樹脂等のホットメルト樹脂製フィルム（ホットメルトフィルム）であっても良い。
更に、ホットメルトフィルムの代わりに、ホットメルト樹脂製の接着剤をバインダーとして用いても良い。
【００２３】
この他、シート状物３の構成として和紙を用いる場合には、和紙に対してケイ素含有粉末２が溶解された液体をドット状にプリント（転写）したり、ケイ素含有粉末２のエマルション液（乳化液）に和紙を含浸させたり、シンター方式の散布（散布したケイ素含有粉末２を和紙に焼結させること）などによって、ケイ素含有粉末２を和紙に固着させた後で、当該和紙をソックス状物１の甲側部１ａにおける内面側に付着させても良い。
尚、この場合、シート状物３は、和紙で構成される。
【００２４】
シート状物３の目付は、特に限定はないが、例えば、１０ｇ／ｍ2 以上３００ｇ／ｍ2 以下（１５０ｇ／ｍ2 など）であっても良い。又、１つのソックス状物１に対するシート状物３の重さも、特に限定はないが、例えば、０．１ｇ以上１０．０ｇ以下（１．２ｇなど）であっても良い。
尚、図１、２に示すように、シート状物３は、複数の貫通孔３ａを有したメッシュ状であっても良い。
又、図２におけるシート状物３は編地とＰＵフィルムを使用し、図３（ａ）におけるシート状物３は織地とＰＵフィルムを使用している。
【００２５】
＜実施例・比較例＞
本発明に係るソックス状物１の昇熱性や消臭性について、実施例と比較例を用いて、以下の試験１−１〜１−３、試験２を行う。
尚、これらの試験では、ソックス状物１として、ケイ素含有粉末２（溶岩粉末）を、当該ソックス状物１の甲側部１ａにおける内面側に、この内面側に付着したシート状物３（ＰＵフィルムとメッシュ状のトリコット編地）で覆われることで、固着されたものを実施例とし、溶岩粉末などのケイ素含有粉末２が一切固着されておらず、ＰＵフィルムやメッシュ状のトリコット編地などのシート状物３も一切有していないものを比較例とする。
【００２６】
＜試験１−１〜１−３＞
試験１−１〜１−３では、上述した実施例と比較例に、ランプからの光を所定の照射時間だけ照射し、所定の測定間隔ごとにソックス状物の甲側部における内面側の温度を測定した。その測定温度を、試験１−１は表１と図４に、試験１−２は表２に、試験１−３は表３に示す。
尚、試験１−１では、２５０Ｗのハロゲンランプ（ハロゲン電球）を用い、照射時間は１５分で測定間隔は０．５分（３０秒）とし、試験１−２では、１００Ｗのタングステンランプ（タングステン電球）を用い、照射時間は５分で測定間隔は１分とし、試験１−３では、４０Ｗのタングステンランプ（タングステン電球）を用い、照射時間は５分で測定間隔は１分とした。
【００２７】
【表１】
2019039087.tif 000003
【００２８】
【表２】
2019039087.tif 000004
【００２９】
【表３】
2019039087.tif 000005
【００３０】
＜試験１−１〜１−３の評価＞
上述した表１〜３と図４より、実施例（本発明に係るソックス状物１）は、ランプの種類やその電力を問わず（多少電力が下がっても）、当該ランプの光から赤外線を吸収することによって、当然にほぼ同じ測定温度となる０．０分（０分）を除いて、何れの測定時間における測定温度も、比較例より高くなっている。
これと同時に、実施例（本発明に係るソックス状物１）は、ソックス状物１の甲側部１ａの温度が上がり易い（昇温性が高い）と言え、毛細血管が多い足の甲側の血流を促進し、使用者の足を冷え難くすると共に、赤外線を吸収して足を冷やさないように熱を蓄えるとも言える。
特に、実施例と比較例の温度差は、試験１−１では最高で「９．２℃」、平均して「７．０℃（≒総計２１５．６℃÷３１）」、試験１−２では最高で「８．０℃」、平均して「３．９℃（＝総計２３．４℃÷６）」、試験１−３では最高で「４．２℃」、平均して「２．１℃（≒総計１２．３℃÷６）」となっている。
【００３１】
＜試験２＞
試験２では、上述した実施例と比較例を入れた容器それぞれに、所定のガスを注入し、注入直後のガス濃度と、注入から２時間後のガス濃度を測定した。その測定濃度とガスの減少率を表４に示す。
尚、容器に注入するガスは、アンモニア・酢酸・トリメチルアミンとし、ガスの減少率は、注入から２時間後における（比較例のガス濃度−実施例のガス濃度）÷（比較例のガス濃度）にて求めた。
【００３２】
【表４】
2019039087.tif 000006
【００３３】
＜試験２の評価＞
上述した表４より、実施例（本発明に係るソックス状物１）は、何れのガスであっても、比較例における注入から２時間後のガス濃度に対して、「９０％以上」の減少率となっており、溶岩粉末であるケイ素含有粉末２が固着していることで、消臭性が発揮されている。
【００３４】
＜その他＞
本発明は、上述した実施形態に限定されるものではない。ソックス状物１などの各構成又は全体の構造、形状、寸法などは、本発明の趣旨に沿って適宜変更することが出来る。
ソックス状物１は、シート状物３を有さなくとも良く、又、シート状物３を有する場合であっても、貫通孔３ａが設けられていなかったり、貫通孔３ａが１つであっても（メッシュ状でなくとも）構わない。
【産業上の利用可能性】
【００３５】
本発明に係るソックス状物１は、ソックス（靴下）だけでなく、使用者の足を覆い且つ当該ソックス状物が甲側部と足裏側部を有するのであれば、タイツ、ストッキング、アンダーストッキング、ハイソックス、足袋、５本指ソックス（５本指靴下）、軍足、その他のソックス類（靴下類）など何れにも利用可能である。
【符号の説明】
【００３６】
１        ソックス状物
１ａ      ソックス状物の甲側部
１ｂ      ソックス状物の足裏側部
２        ケイ素含有粉末
３        シート状物
【図１】
2019039087.tif 000007
【図２】
2019039087.tif 000008
【図３】
2019039087.tif 000009
【図４】
2019039087.tif 000010